(57)【要約】【課題】防犯警報、非常警報発生時にカメラで録画した不審者の録画画像を記憶させた際、その録画画像を簡単な操作で消去されてしまうことを防ぐ。【解決手段】カメラ付玄関子機５ａと、不審者を監視する監視カメラ７ａ及び防犯センサ６ａと、監視カメラからのカメラ映像を記憶する録画画像記憶装置、録画画像記憶装置に記憶された録画画像を表示する表示部４４、録画画像を閲覧するための操作部４３、カメラ付玄関子機からの呼び出しに応じて呼出音、防犯センサからのセンサ検知信号Ｓ１の受信に応じて防犯警報音をそれぞれ鳴動する拡声スピーカ４１を有する住戸親機４ａとを備え、住戸親機は、センサ検知信号を受信すると、表示部に防犯警報表示し、拡声スピーカより防犯警報音を出力すると共に、録画画像記憶装置に記憶された録画画像の消去を禁止するＣＰＵを備えている。【選択図】図１
2006279416.tif 000002
【特許請求の範囲】
【請求項１】
住宅の玄関先に設置されるカメラ付玄関機（５ａ、５ｂ、・・・）と、不審者の侵入を検知してセンサ検知信号（Ｓ１）を出力する防犯センサ（６ａ、６ｂ、・・・）と、住宅内に設置され前記カメラ付玄関機からのカメラ映像を記憶する録画画像記憶装置（４９）、前記録画画像記憶装置に記憶された録画画像を表示する表示部（４４）、前記録画画像を閲覧するための操作部（４３）、前記カメラ付玄関機からの呼び出しに応じて呼出音、前記防犯センサからのセンサ検知信号の受信に応じて防犯警報音をそれぞれ鳴動する拡声スピーカ（４１）を有する親機（４ａ、４ｂ、・・・）とを備え、
前記親機は、前記センサ検知信号を受信すると、前記表示部に防犯警報表示し、前記拡声スピーカより前記防犯警報音を出力すると共に、前記録画画像記憶装置に記憶された録画画像の消去を禁止するＣＰＵ（４６）を備えたことを特徴とするインターホンシステム。
【請求項２】
住宅の玄関先に設置されるカメラ付玄関機（５ａ、５ｂ、・・・）と、住宅の任意の箇所に設置される監視カメラ（７ａ、７ｂ、・・・）及び不審者の侵入を検知してセンサ検知信号（Ｓ１）を出力する防犯センサ（６ａ、６ｂ、・・・）と、住宅内に設置され前記カメラ付玄関機及び／又は前記監視カメラからのカメラ映像を記憶する録画画像記憶装置（４９）、前記録画画像記憶装置に記憶された録画画像を表示する表示部（４４）、前記録画画像を閲覧するための操作部（４３）、前記カメラ付玄関機からの呼び出しに応じて呼出音、前記防犯センサからのセンサ検知信号の受信に応じて防犯警報音をそれぞれ鳴動する拡声スピーカ（４１）を有する親機（４ａ、４ｂ、・・・）とを備え、
前記親機は、前記監視カメラに対応する前記防犯センサを設定しておき、前記防犯センサからの前記センサ検知信号を受信すると、検知した前記防犯センサに対応する前記監視カメラの録画画像の消去を禁止するＣＰＵ（４６）を備えたことを特徴とするインターホンシステム。
【請求項３】
住宅の玄関先に設置されるカメラ付玄関機（５ａ、５ｂ、・・・）と、不審者の侵入を検知してセンサ検知信号（Ｓ１）を出力する防犯センサ（６ａ、６ｂ、・・・）と、住宅内に設置され前記カメラ付玄関機からのカメラ映像を記憶する録画画像記憶装置（４９）、前記録画画像記憶装置に記憶された録画画像を表示する表示部（４４）、前記録画画像を閲覧するための操作部（４３）、前記カメラ付玄関機からの呼び出しに応じて呼出音、前記防犯センサからのセンサ検知信号の受信に応じて防犯警報音をそれぞれ鳴動する拡声スピーカ（４１）を有する親機（４ａ、４ｂ、・・・）と、前記防犯センサからのセンサ検知信号の受信に応じて防犯警報音を鳴動する拡声スピーカ（２１）、前記センサ検知信号の発信元を表示する表示部（２４）、各住宅の親機を指定して呼び出す操作部（２２）有する管理室親機（２）とを備え、
前記親機は、前記センサ検知信号を受信すると、前記表示部に防犯警報表示し、前記拡声スピーカより前記防犯警報音を出力すると共に、前記管理室親機に通知し、前記管理室親機の前記操作部の操作により防犯警報状態を復旧したことを検出するまで前記録画画像記憶装置に記憶された録画画像の消去を禁止するＣＰＵ（４６）を備えたことを特徴とするインターホンシステム。
【請求項４】
前記住宅の任意の箇所に設置される監視カメラ（７ａ、７ｂ、・・・）と、前記監視カメラからのカメラ映像を記憶する録画画像記憶装置（４９）とを備えたことを特徴とする請求項１又は請求項３記載のインターホンシステム。
【請求項５】
前記カメラ付玄関機には、集合住宅の集合玄関に設置される集合玄関機（１）も含まれることを特徴とする請求項１乃至請求項４の何れか１項記載のインターホンシステム。
【請求項６】
前記親機は、録画画像の消去禁止解除時間を設定し、前記消去禁止解除時間経過後に録画画像の消去禁止を解除するＣＰＵ（４６）を備えたことを特徴とする請求項１乃至請求項５の何れか１項記載のインターホンシステム。
【請求項７】
前記親機は、前記防犯警報出力中にアクセス制御となる防犯警報解除操作が行なわれると、録画画像の消去禁止を解除するＣＰＵ（４６）を備えたことを特徴とする請求項１乃至請求項５の何れか１項記載のインターホンシステム。
【請求項８】
前記親機は、前記防犯センサからの前記センサ検知信号を受信するまでに、前記録画画像記憶装置に記憶されていた録画画像を保存保護状態に切り替えるにあたり、保存保護状態に切り替える録画画像の制限値を設定するＣＰＵ（４６）を備えたことを特徴とする請求項１乃至請求項７の何れか１項記載のインターホンシステム。
【請求項９】
住宅の玄関先に設置されるカメラ付玄関機（５ａ、５ｂ、・・・）と、住宅内に設置され前記カメラ付玄関機からのカメラ映像を記憶する録画画像記憶装置（４９）、前記録画画像記憶装置に記憶された録画画像を表示する表示部（４４）、前記録画画像を閲覧するための操作部（４３）、前記カメラ付玄関機からの呼び出しに応じて呼出音を鳴動する拡声スピーカ（４１）、住宅内での非常事態発生を住宅外に通知するための非常ボタン（４５）を有する親機（４ａ、４ｂ、・・・）とを備え、
前記親機は、前記非常ボタンが押下されると、前記表示部に非常警報表示し、前記拡声スピーカより非常警報音を出力すると共に、前記録画画像記憶装置に記憶された録画画像の消去を禁止するＣＰＵ（４６）を備えたことを特徴とするインターホンシステム。
【請求項１０】
住宅の玄関先に設置されるカメラ付玄関機（５ａ、５ｂ、・・・）と、住宅内に設置され前記カメラ付玄関機からのカメラ映像を記憶する録画画像記憶装置（４９）、前記録画画像記憶装置に記憶された録画画像を表示する表示部（４４）、前記録画画像を閲覧するための操作部（４３）、前記カメラ付玄関機からの呼び出しに応じて呼出音を鳴動する拡声スピーカ（４１）、住宅内での非常事態発生を住宅外に通知するための非常ボタン（４５）を有する親機（４ａ、４ｂ、・・・）と、前記親機からの呼出音を鳴動する拡声スピーカ（２１）、前記呼出音の発信元を表示する表示部（２４）、各住宅の親機を指定して呼び出す操作部（２２）有する管理室親機（２）とを備え、
前記親機は、前記非常ボタンが押下されると、前記表示部に非常警報表示し、前記拡声スピーカより非常警報音を出力すると共に、前記管理室親機に通知し、前記管理室親機の前記操作部の操作により非常警報状態を復旧したことを検出するまで前記録画画像記憶装置に記憶された録画画像の消去を禁止するＣＰＵ（４６）を備えたことを特徴とするインターホンシステム。
【請求項１１】
前記住宅の任意の箇所に設置される監視カメラ（７ａ、７ｂ、・・・）と、前記監視カメラからのカメラ映像を記憶する録画画像記憶装置（４９）とを備えたことを特徴とする請求項９又は請求項１０記載のインターホンシステム。
【請求項１２】
前記カメラ付玄関機には、集合住宅の集合玄関に設置される集合玄関機（１）も含まれることを特徴とする請求項９乃至請求項１１の何れか１項記載のインターホンシステム。
【請求項１３】
前記親機は、録画画像の消去禁止解除時間を設定し、前記消去禁止解除時間経過後に録画画像の消去禁止を解除するＣＰＵ（４６）を備えたことを特徴とする請求項９乃至請求項１２の何れか１項記載のインターホンシステム。
【請求項１４】
前記親機は、前記非常ボタンの解除操作を行なうと、録画画像の消去禁止を解除するＣＰＵ（４６）を備えたことを特徴とする請求項９乃至請求項１２の何れか１項記載のインターホンシステム。
【請求項１５】
前記親機は、前記非常ボタンを押下するまでに、前記録画画像記憶装置に記憶されていた録画画像を保存保護状態に切り替えるにあたり、保存保護状態に切り替える録画画像の制限値を設定するＣＰＵ（４６）を備えたことを特徴とする請求項９乃至請求項１４の何れか１項記載のインターホンシステム。
【発明の詳細な説明】
【技術分野】
【０００１】
本発明は、インターホンシステムに係り、特に防犯警報、非常警報発生時にカメラで録画した不審者の録画画像を記憶させることができる機能を備えたインターホンシステムに関する。
【背景技術】
【０００２】
従来から、この種のインターホンシステムとして、マンションで用いられ、玄関に設置される集合玄関機と、各住戸内に設置される住戸内端末機と、各住戸の玄関横に設置され住戸内端末機に接続される住戸子機と、ロビーに設置される第１の監視カメラと、駐車場に設置される第２の監視カメラと、管理人室に設置される中央監視制御部とを備えた住宅情報システムが提案されている（例えば、特許文献１参照）。
【０００３】
この住宅情報システムの中央監視制御部は集合玄関機のテレビカメラで撮影された来訪者の映像を記憶するメモリを有し、また住戸内端末機は住戸子機のテレビカメラで撮影された来訪者の映像を記憶するメモリを有している。
【０００４】
このような構成の住宅情報システムは、集合玄関機から呼び出しがあった場合に、集合玄関機と住戸内端末機との間で通話が成立しないと、集合玄関機のテレビカメラで撮影された来訪者の映像を中央監視制御部のメモリに記憶する。また、住戸内端末機の映像再生ボタンが再生操作されると、中央監視制御部のメモリに記憶された来訪者の映像がモニタに表示され、住戸内端末機の消去ボタンが消去操作されると、中央監視制御部のメモリに記憶された来訪者の映像が消去される。また、来訪者の映像を記憶しているメモリの容量が所定量以上になると、上書きできるような機能も有している。
【０００５】
【特許文献１】特開２００２−１１１８８３号公報
【発明の開示】
【発明が解決しようとする課題】
【０００６】
しかしながら、背景技術において示した住宅情報システムでは、住戸内に不審者が侵入した際に、その不審者の映像が中央監視制御部のメモリや住戸内端末機のメモリに記憶されるが、録画画像を住戸内端末機の消去ボタンによって不用意にその録画画像を消去してしまったり、また、不審者がその消去ボタンで録画画像の消去操作を行なって自らの録画画像を消去できたりする難点があった。また、マンションの玄関や住戸の玄関に多くの来訪者があった場合に、中央監視制御部のメモリや住戸内端末機のメモリが上書きされるように設定されていると、肝心な不審者の録画画像が消去されてしまう虞があった。
【０００７】
本発明はこのような従来の難点を解決するためになされたもので、防犯警報、非常警報発生時にカメラで録画した不審者の録画画像を記憶させた際、その録画画像を簡単な操作で消去されてしまうことを防ぐことができるインターホンシステムを提供することを目的とする。
【課題を解決するための手段】
【０００８】
本発明のインターホンシステムにおける第１の態様は、住宅の玄関先に設置されるカメラ付玄関機と、不審者の侵入を検知してセンサ検知信号を出力する防犯センサと、住宅内に設置されカメラ付玄関機からのカメラ映像を記憶する録画画像記憶装置、録画画像記憶装置に記憶された録画画像を表示する表示部、録画画像を閲覧するための操作部、カメラ付玄関機からの呼び出しに応じて呼出音、防犯センサからのセンサ検知信号の受信に応じて防犯警報音をそれぞれ鳴動する拡声スピーカを有する親機とを備え、親機は、センサ検知信号を受信すると、表示部に防犯警報表示し、拡声スピーカより防犯警報音を出力すると共に、録画画像記憶装置に記憶された録画画像の消去を禁止するＣＰＵを備えたものである。
【０００９】
このようなインターホンシステムによれば、防犯警報発生時にカメラで録画した不審者の録画画像を親機の録画画像記憶装置に記憶させた際、親機のＣＰＵでその録画画像の消去を禁止するように設定されるので、その録画画像が不審者による操作や居住者の不注意等により親機の操作部で消去されてしまうことを防ぐことができる。
【００１０】
また、本発明のインターホンシステムにおける第２の態様は、住宅の玄関先に設置されるカメラ付玄関機と、住宅の出入り可能な箇所に設置される監視カメラ及び不審者の侵入を検知してセンサ検知信号を出力する防犯センサと、住宅内に設置されカメラ付玄関機及び／又は監視カメラからのカメラ映像を記憶する録画画像記憶装置、録画画像記憶装置に記憶された録画画像を表示する表示部、録画画像を閲覧するための操作部、カメラ付玄関機からの呼び出しに応じて呼出音、防犯センサからのセンサ検知信号の受信に応じて防犯警報音をそれぞれ鳴動する拡声スピーカを有する親機とを備え、親機は、監視カメラに対応する防犯センサを設定しておき、防犯センサからのセンサ検知信号を受信すると、検知した防犯センサに対応する監視カメラの録画画像の消去を禁止するＣＰＵを備えたものである。
【００１１】
このようなインターホンシステムによれば、防犯警報発生時に監視カメラで録画した不審者の録画画像を親機の録画画像記憶装置に記憶させた際、その監視カメラに対応する防犯センサからのセンサ検知信号を親機が受信すると、親機のＣＰＵでその監視カメラの録画画像の消去を禁止するように設定されるので、その録画画像が不審者による操作や居住者の不注意等により親機の操作部で消去されてしまうことを防ぐことができる。
【００１２】
また、本発明のインターホンシステムにおける第３の態様は、住宅の玄関先に設置されるカメラ付玄関機と、不審者の侵入を検知してセンサ検知信号を出力する防犯センサと、住宅内に設置されカメラ付玄関機からのカメラ映像を記憶する録画画像記憶装置、録画画像記憶装置に記憶された録画画像を表示する表示部、録画画像を閲覧するための操作部、カメラ付玄関機からの呼び出しに応じて呼出音、防犯センサからのセンサ検知信号の受信に応じて防犯警報音をそれぞれ鳴動する拡声スピーカを有する親機と、防犯センサからのセンサ検知信号の受信に応じて防犯警報音を鳴動する拡声スピーカ、センサ検知信号の発信元を表示する表示部、各住宅の親機を指定して呼び出す操作部有する管理室親機とを備え、親機は、センサ検知信号を受信すると、表示部に防犯警報表示し、拡声スピーカより防犯警報音を出力すると共に、管理室親機に通知し、管理室親機の操作部の操作により防犯警報状態を復旧したことを検出するまで録画画像記憶装置に記憶された録画画像の消去を禁止するＣＰＵを備えたものである。
【００１３】
このようなインターホンシステムによれば、防犯警報状態の時にカメラで録画した不審者の録画画像を親機の録画画像記憶装置に記憶させた際、親機のＣＰＵで管理室親機の操作部の操作により防犯警報状態を復旧したことを検出するまで録画画像記憶装置に記憶された録画画像の消去を禁止するように設定されるので、その録画画像が不審者による操作や居住者の不注意等により親機の操作部で消去されてしまうことを防ぐことができる。
【００１４】
第４の態様は第１の態様又は第３の態様の何れかのインターホンシステムにおいて、住宅の任意の箇所に設置される監視カメラと、監視カメラからのカメラ映像を記憶する録画画像記憶装置とを備えたものである。これにより、監視カメラを備えたインターホンシステムにも適用させることができる。
【００１５】
第５の態様は第１の態様乃至第４の態様の何れかのインターホンシステムにおいて、カメラ付玄関機には、集合住宅の集合玄関に設置される集合玄関機も含まれるものである。これにより、マンション等の集合住宅にも適用させることができる。
【００１６】
第６の態様は第１の態様乃至第５の態様の何れかのインターホンシステムにおいて、親機は、録画画像の消去禁止解除時間を設定し、消去禁止解除時間経過後に録画画像の消去禁止を解除するＣＰＵを備えたものである。このＣＰＵの制御機能により、居住者が安全に親機の録画画像記憶装置に記憶された録画画像を消去することができると共に、不審者の操作により録画画像を消去されてしまうことを防ぐことができる。
【００１７】
第７の態様は第１の態様乃至第５の態様の何れかのインターホンシステムにおいて、親機は、防犯警報出力中にアクセス制御となる防犯警報解除操作が行なわれると、録画画像の消去禁止を解除するＣＰＵを備えたものである。このＣＰＵの制御機能により、親機や管理室親機でアクセス制御となる利用者ＩＤとパスワードによる認証、バイオメトリック認証等の特殊操作を行なわなければ録画画像の消去禁止を解除することができないので、居住者が安全に親機の録画画像記憶装置に記憶された録画画像を消去することができると共に、不審者の操作により録画画像を消去されてしまうことを防ぐことができる。
【００１８】
第８の態様は第１の態様乃至第７の態様の何れかのインターホンシステムにおいて、親機は、防犯センサからのセンサ検知信号を受信するまでに、録画画像記憶装置に記憶されていた録画画像を保存保護状態に切り替えるにあたり、保存保護状態に切り替える録画画像の制限値を設定するＣＰＵを備えたものである。このＣＰＵの制御機能により、防犯警報が出力された時点で、防犯警報が出力する前までに録画画像記憶装置に記憶されていた録画画像を保存保護状態に切替えることができるようになる。
【００１９】
また、本発明のインターホンシステムにおける第９の態様は、住宅の玄関先に設置されるカメラ付玄関機と、住宅内に設置されカメラ付玄関機からのカメラ映像を記憶する録画画像記憶装置、録画画像記憶装置に記憶された録画画像を表示する表示部、録画画像を閲覧するための操作部、カメラ付玄関機からの呼び出しに応じて呼出音を鳴動する拡声スピーカ、住戸内での非常事態発生を住戸外に通知するための非常ボタンを有する親機とを備え、親機は、非常ボタンが押下されると、表示部に非常警報表示し、拡声スピーカより非常警報音を出力すると共に、録画画像記憶装置に記憶された録画画像の消去を禁止するＣＰＵを備えたものである。
【００２０】
このようなインターホンシステムによれば、非常警報状態の時にカメラで録画した不審者の録画画像を親機の録画画像記憶装置に記憶させた際、親機のＣＰＵでその録画画像の消去を禁止するように設定されるので、その録画画像が不審者による操作や居住者の不注意等により親機の操作部で消去されてしまうことを防ぐことができる。
【００２１】
また、本発明のインターホンシステムにおける第１０の態様は、住宅の玄関先に設置されるカメラ付玄関機と、住宅内に設置されカメラ付玄関機からのカメラ映像を記憶する録画画像記憶装置、録画画像記憶装置に記憶された録画画像を表示する表示部、録画画像を閲覧するための操作部、カメラ付玄関機からの呼び出しに応じて呼出音を鳴動する拡声スピーカ、住宅内での非常事態発生を住戸外に通知するための非常ボタンを有する親機と、親機からの呼出音を鳴動する拡声スピーカ、呼出音の発信元を表示する表示部、各住宅の親機を指定して呼び出す操作部有する管理室親機とを備え、親機は、非常ボタンが押下されると、表示部に非常警報表示し、拡声スピーカより非常警報音を出力すると共に、管理室親機に通知し、管理室親機の操作部の操作により非常警報状態を復旧したことを検出するまで録画画像記憶装置に記憶された録画画像の消去を禁止するＣＰＵを備えたものである。
【００２２】
このようなインターホンシステムによれば、非常警報状態の時にカメラで録画した不審者の録画画像を親機の録画画像記憶装置に記憶させた際、親機のＣＰＵで管理室親機の操作部の操作により防犯警報状態を復旧したことを検出するまで録画画像記憶装置に記憶された録画画像の消去を禁止するように設定されるので、その録画画像が不審者による操作や居住者の不注意等により親機の操作部で消去されてしまうことを防ぐことができる。
【００２３】
第１１の態様は第９の態様又は第１０の態様の何れかのインターホンシステムにおいて、住宅の任意の箇所に設置される監視カメラと、監視カメラからのカメラ映像を記憶する録画画像記憶装置とを備えたものである。これにより、監視カメラを備えたインターホンシステムにも適用させることができる。
【００２４】
第１２の態様は第９の態様乃至第１１の態様の何れかのインターホンシステムにおいて、カメラ付玄関機には、集合住宅の集合玄関に設置される集合玄関機も含まれるものである。これにより、マンション等の集合住宅にも適用させることができる。
【００２５】
第１３の態様は第９の態様乃至第１２の態様の何れかのインターホンシステムにおいて、親機は、録画画像の消去禁止解除時間を設定し、消去禁止解除時間経過後に録画画像の消去禁止を解除するＣＰＵを備えたものである。このＣＰＵの制御機能により、居住者が安全に親機の録画画像記憶装置に記憶された録画画像を消去することができると共に、不審者の操作により録画画像を消去されてしまうことを防ぐことができる。
【００２６】
第１４の態様は第９の態様乃至第１２の態様の何れかのインターホンシステムにおいて、親機は、非常ボタンの解除操作を行なうと、録画画像の消去禁止を解除するＣＰＵを備えたものである。このＣＰＵの制御機能により、親機や管理室親機でアクセス制御となる利用者ＩＤとパスワードによる認証、バイオメトリック認証等の特殊操作を行なわなければ非常ボタンの解除操作を行なうことができなくなるので、録画画像の消去禁止を解除することができず、居住者が安全に親機の録画画像記憶装置に記憶された録画画像を消去することができると共に、不審者の操作により録画画像を消去されてしまうことを防ぐことができる。
【００２７】
第１５の態様は第９の態様乃至第１４の態様の何れかのインターホンシステムにおいて、親機は、非常ボタンを押下するまでに、録画画像記憶装置に記憶されていた録画画像を保存保護状態に切り替えるにあたり、保存保護状態に切り替える録画画像の制限値を設定するＣＰＵを備えたものである。このＣＰＵの制御機能により、非常警報が出力された時点で、防犯警報が出力する前までに録画画像記憶装置に記憶されていた録画画像を保存保護状態に切替えることができるようになる。
【発明の効果】
【００２８】
本発明のインターホンシステムによれば、親機のＣＰＵが予め設定された信号を受信すると録画画像記憶装置に記憶された録画画像の消去を禁止する機能を有しているので、その録画画像が不審者による操作や居住者の不注意等により親機の操作部で消去されてしまうことを防ぐことができる。
【発明を実施するための最良の形態】
【００２９】
以下、本発明のインターホンシステムにおける好ましい実施の形態例について、図面を参照して説明する。
【００３０】
本発明の実施の一形態例であるインターホンシステムは図１に示すように、住戸内に設置される住戸親機４ａ、４ｂ、・・・と、住戸の玄関先に設置され親機４ａ、４ｂ、・・・に接続されるカメラ付玄関子機５ａ、５ｂ、・・・と、住戸の出入り可能な箇所に設置され住戸親機４ａ、４ｂ、・・・に接続される監視カメラ７ａ、７ｂ、・・・及び防犯センサ６ａ、６ｂ、・・・と、集合玄関に設置され住戸親機４ａ、４ｂ、・・・との通話を行なう集合玄関機１と、管理室に設置され住戸親機４ａ、４ｂ、・・・及び集合玄関機１と通話を行なう管理室親機２と、住戸親機４ａ、４ｂ、・・・、集合玄関機１及び管理室親機２による相互通信を制御する制御機３とを備えている。なお、監視カメラ７ａ、７ｂ、・・・や防犯センサ６ａ、６ｂ、・・・は、住戸の玄関扉や窓等に設置されている。また、マンション等の集合住宅ではない場合には、集合玄関機１、管理室親機２及び制御機３は設置されない。
【００３１】
住戸親機４ａ、４ｂ、・・・は、住戸の玄関や集合玄関の来訪者からの呼び出しを報知する拡声スピーカ４１と、来訪者と通話するためのハンドセット４２と、種々の操作を行うためのタッチパネル等から成る操作部４３と、カメラ付玄関子機５ａ、５ｂ、・・・のカメラ５４や監視カメラ７ａ、７ｂ、・・・で撮像した映像を表示する液晶モニタ等から成る表示部４４と、住戸内での非常事態発生を住戸外に通知するための非常ボタン４５とを有している。なお、表示部４４には、後述する集合玄関機１のカメラ１４で撮像した映像も表示される。
【００３２】
このような住戸親機４ａ、４ｂ、・・・は図２に示すように、拡声スピーカ４１は拡声アンプ４１１を介して音声合成回路４１２に接続され、音声合成回路４１２はＣＰＵ４６に接続されている。ハンドセット４２のスピーカ４２ａはスピーカアンプ４２１を介して通話回路４７に接続され、ハンドセット４２のマイク４２ｂはマイクアンプ４２２を介して通話回路４７に接続され、通話回路４７は通信インターフェース回路４８（以下、「通信ＩＦ回路４８」という。）に接続されている。なお、通話回路４７はＣＰＵ４６に接続され当該ＣＰＵ４６に制御される。また、操作部４３は操作信号送出回路４３１を介してＣＰＵ４６に接続され、表示部４４は表示部駆動回路４４１を介してＣＰＵ４６に接続され、非常ボタン４５は非常ボタン入力検出回路４５１を介してＣＰＵ４６に接続されている。
【００３３】
また、住戸親機４ａ、４ｂ、・・・は、監視カメラ７ａ、７ｂ、・・・を接続するための監視カメラ接続端子Ｔ１と、後述するカメラ付玄関子機５ａ、５ｂ、・・・の映像ラインを接続するためのカメラ接続端子Ｔ２と、カメラ付玄関子機５ａ、５ｂ、・・・の音声及びデータ通信ラインを接続するための通信接続端子Ｔ３と、後述する防犯センサ６ａ、６ｂ、・・・を接続するためのセンサ接続端子Ｔ４と、監視カメラ接続端子Ｔ１及びカメラ接続端子Ｔ２とＣＰＵ４６との間に接続される映像制御回路５０１と、通信接続端子Ｔ３とＣＰＵ４６との間に接続される音声制御回路５０２と、センサ接続端子Ｔ４とＣＰＵ４６との間に接続される防犯センサ入力検出回路６０１とを有している。
【００３４】
さらに、住戸親機４ａ、４ｂ、・・・は、カメラ付玄関子機５ａ、５ｂ、・・・、監視カメラ７ａ、７ｂ、・・・及び集合玄関機１からの各カメラ映像を記憶する録画画像記憶装置４９を有し、ＣＰＵ４６に接続されている。なお、住戸親機４ａ、４ｂ、・・・に通話ボタンを備え、ハンズフリー通話を行なえるように構成してもよい。
【００３５】
カメラ付玄関子機５ａ、５ｂ、・・・は、来訪者があることを住戸親機４ａ、４ｂ、・・・に知らせるための呼出ボタン５１と、住戸親機４ａ、４ｂ、・・・と通話するための子機マイク５２及び子機スピーカ５３と、住戸の玄関の来訪者を撮像するためのカメラ５４とを有している。
【００３６】
集合玄関機１は、来訪者が居住者を呼び出すためのテンキーや呼出ボタンから成る操作部１１と、居住者と通話を行なうための拡声スピ−カ１２及びマイク１３と、集合玄関の来訪者を撮像するためのカメラ１４と、室番号等が表示される液晶モニタ等から成る表示部１５とを有している。
【００３７】
管理室親機２は、住戸の玄関や集合玄関の来訪者からの呼び出しを報知する拡声スピーカ２１と、管理人が居住者を呼び出すためのテンキーや呼出ボタンから成る操作部２２と、居住者や来訪者と通話を行なうためのハンドセット２３と、カメラ付玄関子機５ａ、５ｂ、・・・のカメラ５４や監視カメラ７ａ、７ｂ、・・・で撮像した映像を表示する液晶モニタ等から成る表示部２４とを有している。なお、表示部２４には、後述する集合玄関機１のカメラ１４で撮像した映像も表示される。また、表示部２４には、何れかの防犯センサから防犯センサ検知信号Ｓ１が送信されてきた場合に、その防犯センサが設置されている住戸を特定する、例えば住戸親機の発信番号となる住戸番号が表示されるようになっている。
【００３８】
制御機３は、住戸親機４ａ、４ｂ、・・・に接続するための第１の通信回路３１と、集合玄関機１に接続するための第２の通信回路３２と、管理室親機２に接続するための第３の通信回路３３と、主制御回路３４とを有している。なお、第１の通信回路３１には住戸親機用ラインＬ１が接続され、この住戸親機用ラインＬ１に住戸親機４ａ、４ｂ、・・・がバス接続されている。
【００３９】
このように構成されたインターホンシステムの住戸親機４ａ、４ｂ、・・・のＣＰＵ４６は、録画画像記憶装置４９に記憶された録画画像の消去を禁止し、または、その録画画像の消去禁止を解除するための制御機能を１１種類有している。
【００４０】
第１の制御機能は、防犯センサ６ａ、６ｂ、・・・からのセンサ検知信号Ｓ１を受信すると、その防犯センサが接続されている住戸親機の表示部４４に防犯警報表示し、その防犯センサが接続されている住戸親機の拡声スピーカ４１より防犯警報音を出力すると共に、その防犯センサが接続されている住戸親機４ａ、４ｂ、・・・の録画画像記憶装置４９に記憶された録画画像の消去を禁止する制御機能である。なお、拡声スピーカ４１からの防犯警報音の出力と録画画像記憶装置４９に記憶された録画画像の消去を禁止する動作タイミングは、同時にすることが好ましいが、時間設定によりずらしてもよい。この第１の制御機能をＣＰＵ４６で設定することにより、防犯警報状態の時に、録画画像記憶装置４９に記憶された録画画像が不審者による操作や居住者の不注意等により親機の操作部４３で消去されてしまうことを防ぐことができる。
【００４１】
この第１の制御機能を有効に機能させるには、非常ボタン４５を有していない住戸親機４ａ、４ｂ、・・・でも可能である。
【００４２】
第２の制御機能は、ＣＰＵ４６に監視カメラ７ａ、７ｂ、・・・に対応する防犯センサ６ａ、６ｂ、・・・を設定しておき、何れかの防犯センサからのセンサ検知信号Ｓ１を受信すると、その防犯センサとその防犯センサに関連付けられた監視カメラとが接続されている住戸親機において、録画画像記憶装置４９に記憶されている検知した防犯センサに対応する監視カメラの録画画像の消去を禁止する制御機能である。この第２の制御機能をＣＰＵ４６で設定することにより、防犯警報状態の時に、録画画像記憶装置４９に記憶された録画画像が不審者による操作や居住者の不注意等により親機の操作部４３で消去されてしまうことを防ぐことができる。
【００４３】
この第２の制御機能を有効に機能させるには、非常ボタン４５を有していない住戸親機４ａ、４ｂ、・・・でも可能である。
【００４４】
第３の制御機能は、防犯センサ６ａ、６ｂ、・・・からのセンサ検知信号Ｓ１を受信すると、その防犯センサが接続されている住戸親機の表示部４４に防犯警報表示し、その防犯センサが接続されている住戸親機の拡声スピーカ４１より防犯警報音を出力すると共に、管理室親機２に通知し、管理室親機２の操作部２２の操作により防犯警報状態を復旧したことを検出するまで、その防犯センサが接続されている住戸親機の録画画像記憶装置４９に記憶された録画画像の消去を禁止する制御機能である。なお、拡声スピーカ４１からの防犯警報音の出力と録画画像記憶装置４９に記憶された録画画像の消去を禁止する動作タイミングは、同時にすることが好ましいが、時間設定によりずらしてもよい。この第３の制御機能をＣＰＵ４６で設定することにより、防犯警報状態の時に、録画画像記憶装置４９に記憶された録画画像が不審者による操作や居住者の不注意等により親機の操作部４３で消去されてしまうことを防ぐことができる。
【００４５】
この第３の制御機能を有効に機能させるには、非常ボタン４５を有していない住戸親機４ａ、４ｂ、・・・でも可能である。
【００４６】
第４の制御機能は、第１乃至第３の制御機能の何れかと連動させるもので、第１乃至第３の制御機能の何れかの制御によって録画画像記憶装置４９に記憶された録画画像の消去禁止解除時間をＣＰＵ４６で設定し、消去禁止解除時間経過後に録画画像の消去禁止を解除する制御機能である。この第４の制御機能をＣＰＵ４６で設定することにより、居住者が安全に親機の録画画像記憶装置４９に記憶された録画画像を消去することができると共に、不審者の操作により録画画像を消去されてしまうことを防ぐことができる。
【００４７】
第５の制御機能は、第１乃至第３の制御機能の何れかと連動させるもので、第１乃至第３の制御機能の何れかの制御によって防犯警報出力中に、アクセス制御となる防犯警報解除操作が行なわれると、録画画像の消去禁止を解除する制御機能である。ここで、アクセス制御とは、利用者ＩＤとパスワードによる認証、バイオメトリック認証等である。この第５の制御機能をＣＰＵ４６で設定することにより、親機や管理室親機で特殊操作を行なわなければ録画画像の消去禁止を解除することができないので、居住者が安全に親機の録画画像記憶装置４９に記憶された録画画像を消去することができると共に、不審者の操作により録画画像を消去されてしまうことを防ぐことができる。
【００４８】
第６の制御機能は、第１乃至第５の制御機能の何れかと連動させるもので、第１乃至第３の制御機能の何れかの制御によって防犯センサからのセンサ検知信号Ｓ１を受信するまでに、その防犯センサが接続されている住戸親機の録画画像記憶装置４９に記憶されていた録画画像を保存保護状態に切り替えるにあたり、保存保護状態に切り替える録画画像の制限値をＣＰＵ４６で設定する制御機能である。この第６の制御機能をＣＰＵ４６で設定することにより、防犯警報が出力された時点で、防犯警報が出力する前までに録画画像記憶装置４９に記憶されていた録画画像を保存保護状態に切替えることができるようになる。
【００４９】
第７の制御機能は、非常ボタン４５を有している住戸親機４ａ、４ｂ、・・・の非常ボタン４５が押下されると、その住戸親機の表示部４４に非常警報表示し、その住戸親機の拡声スピーカ４１より非常警報音を出力すると共に、その住戸親機の録画画像記憶装置４９に記憶された録画画像の消去を禁止する制御機能である。なお、拡声スピーカ４１からの非常警報音の出力と録画画像記憶装置４９に記憶された録画画像の消去を禁止する動作タイミングは、同時にすることが好ましいが、時間設定によりずらしてもよい。この第７の制御機能をＣＰＵ４６で設定することにより、非常警報状態の時に、録画画像記憶装置４９に記憶された録画画像が不審者による操作や居住者の不注意等により親機の操作部４３で消去されてしまうことを防ぐことができる。
【００５０】
第８の制御機能は、非常ボタン４５を有している住戸親機４ａ、４ｂ、・・・の非常ボタン４５が押下されると、その住戸親機の表示部４４に非常警報表示し、その住戸親機の拡声スピーカ４１より非常警報音を出力すると共に、管理室親機２に通知し、管理室親機２の操作部２２の操作により非常警報状態を復旧したことを検出するまでその住戸親機の録画画像記憶装置４９に記憶された録画画像の消去を禁止する制御機能である。なお、拡声スピーカ４１からの非常警報音の出力と録画画像記憶装置４９に記憶された録画画像の消去を禁止する動作タイミングは、同時にすることが好ましいが、時間設定によりずらしてもよい。この第８の制御機能をＣＰＵ４６で設定することにより、非常警報状態の時に、録画画像記憶装置４９に記憶された録画画像が不審者による操作や居住者の不注意等により親機の操作部４３で消去されてしまうことを防ぐことができる。
【００５１】
第９の制御機能は、第７又は第８の制御機能と連動させるもので、第７又は第８の制御機能の何れかの制御によって録画画像記憶装置４９に記憶された録画画像の消去禁止解除時間をＣＰＵ４６で設定し、消去禁止解除時間経過後に録画画像の消去禁止を解除する制御機能である。この第９の制御機能をＣＰＵ４６で設定することにより、居住者が安全に親機の録画画像記憶装置４９に記憶された録画画像を消去することができると共に、不審者の操作により録画画像を消去されてしまうことを防ぐことができる。
【００５２】
第１０の制御機能は、第７又は第８の制御機能と連動させるもので、押下された非常ボタン４５の解除操作を行なうと、その非常ボタン４５を有する住戸親機の録画画像記憶装置４９に記憶された録画画像の消去禁止を解除する制御機能である。この第１０の制御機能をＣＰＵ４６で設定することにより、親機や管理室親機で非常ボタン４５を解除させる特殊操作を行なわなければ録画画像の消去禁止を解除することができないので、居住者が安全に親機の録画画像記憶装置４９に記憶された録画画像を消去することができると共に、不審者の操作により録画画像を消去されてしまうことを防ぐことができる。
【００５３】
第１１の制御機能は、第７乃至第１０の制御機能の何れかと連動させるもので、非常ボタン４５を押下するまでに、その非常ボタン４５を有する住戸親機の録画画像記憶装置４９に記憶されていた録画画像を保存保護状態に切り替えるにあたり、保存保護状態に切り替える録画画像の制限値をＣＰＵ４６で設定する制御機能である。この第１１の制御機能をＣＰＵ４６で設定することにより、非常警報が出力された時点で、非常警報が出力する前までに録画画像記憶装置４９に記憶されていた録画画像を保存保護状態に切替えることができるようになる。
【００５４】
このように構成された集合住宅用インターホンシステムの動作について説明する。
【００５５】
例えば、来訪者がカメラ付玄関子機５ａの呼出ボタン５１で住戸親機４ａが設置された住戸内の居住者を呼び出すと、住戸親機４ａは住戸への呼び出しとなる呼出信号を音声制御回路５０２を介してＣＰＵ４６で、カメラ５４で撮像した来訪者の映像信号を映像制御回路５０１を介してＣＰＵ４６でそれぞれ受信する。ＣＰＵ４６は呼出信号を音声合成回路４１２を介して拡声アンプ４１１に出力するので、拡声スピーカ４１から呼出音が報知される。また、ＣＰＵ４６は映像信号をＬＣＤ駆動回路４４１に出力するので、表示部４４に来訪者が表示される。
【００５６】
居住者が来訪者を確認後、その来訪者からの呼び出しに応答するために、住戸親機４ａの操作部４３で通話操作すると、通話操作信号が操作信号送出回路４３１を介してＣＰＵ４６に出力される。ＣＰＵ４６は通話操作信号に基づき通話回路４７を駆動状態に制御するので、住戸親機４ａのハンドセット４２と、カメラ付玄関子機５ａの子機マイク５２及び子機スピーカ５３とが通話状態になる。したがって、来訪者と居住者とが通話を行なえるようになる。
【００５７】
また、来訪者が集合玄関機１の操作部１１で呼び出し操作して住戸親機４ａが設置された住戸内の居住者を呼び出すと、呼出信号と共にカメラ１４で撮像した来訪者の映像信号が制御機３の第２の通信回路３２を介して主制御回路３４で受信される。主制御回路３４はこの呼出信号、映像信号が住戸親機４ａで受信できるように信号制御して第１の通信回路３１を介して住戸親機用ラインＬ１に伝送する。住戸親機４ａは上述したように、拡声スピーカ４１から呼出音が報知され、また、表示部４４に来訪者が表示される。
【００５８】
居住者が来訪者を確認後、その来訪者からの呼び出しに応答するために、住戸親機４ａの操作部４３で通話操作すると、上述したように住戸親機４ａのハンドセット４２と、集合玄関機１の拡声スピーカ１２及びマイク１３とが通話状態になる。
【００５９】
なお、居住者が不在等により住戸親機４ａでカメラ付玄関子機５ａや集合玄関機１からの映像信号を録画するように設定されている場合には、住戸親機４ａの録画画像記憶装置４９にその映像信号が記憶され録画画像となる。この住戸親機４ａの録画画像記憶装置４９に記憶された録画画像を閲覧する場合には、住戸親機４ａの操作部４３で録画画像閲覧操作を行う。住戸親機４ａのＣＰＵ４６は、この操作部４３の録画画像閲覧操作に基づき録画画像記憶装置４９に記憶された録画画像を取り出し表示部駆動回路４４１に出力するので、その録画画像を表示部４４に表示させることができる。また、この録画画像記憶装置４９に記憶された録画画像は、操作部４３の録画画像消去操作で消去することができる。
【００６０】
次に、本願の集合住宅用インターホンシステムの特徴である住戸親機４ａ、４ｂ、・・・の録画画像記憶装置４９に記憶された録画画像の消去を禁止する動作について説明する。
［実施例１］
例えば、住戸親機４ａのＣＰＵ４６が第１の制御機能に設定されている場合について説明する。この第１の制御機能は、居住者が外出時等に住戸親機４ａの操作部４３で防犯警戒設定操作を行った場合に機能する。
【００６１】
このような状態において、防犯センサ６ａが不審者の侵入を検知すると、センサ検知信号Ｓ１が住戸親機４ａの防犯センサ入力検出回路６０１を介してＣＰＵ４６に送信される。ＣＰＵ４６は、このセンサ検知信号Ｓ１に基づき表示部駆動回路４４１に防犯警報を知らせる映像信号を出力し、拡声アンプ４１１に防犯警報を知らせる防犯警報信号を出力するので、表示部４４に防犯警報が表示され拡声スピーカ４１より防犯警報音が出力され、同時に録画画像消去操作禁止モードに切り替わる。したがって、ＣＰＵ４６が、集合玄関機１、カメラ付玄関子機５ａ、監視カメラ７ａで撮像された録画画像が記憶されている録画画像記憶装置４９に対するアクセスを拒否するので、防犯警報状態の時に、録画画像記憶装置４９に記憶された録画画像が不審者による操作や居住者の不注意等により親機の操作部４３で消去されてしまうことを防ぐことができる。
【００６２】
また、ＣＰＵ４６において第４の制御機能が設定されている場合には、消去禁止解除時間経過後に録画画像の消去禁止を解除することができる。また、ＣＰＵ４６において第５の制御機能が設定されている場合には、住戸親機４ａの操作部４３でアクセス制御となる防犯警報解除操作を行なうと、防犯警報解除信号Ｓ３が操作信号送出回路４３１を介してＣＰＵ４６に送信されるので、ＣＰＵ４６はこの防犯警報解除信号Ｓ３に基づき防犯警報を初期設定に戻して録画画像消去操作禁止モードを解除することができる。また、ＣＰＵ４６において第６の制御機能が設定されている場合には、防犯センサ６ａが不審者の侵入を検知した時点（防犯警報が出力された時点）で、ＣＰＵ４６が防犯警報が出力する前までに録画画像記憶装置４９に記憶されていた録画画像を保存保護状態に切替えることができるので、防犯機能を高めることができる。
［実施例２］
次に、住戸親機４ａのＣＰＵ４６が第２の制御機能に設定されている場合について説明する。この第２の制御機能は１つの住戸に防犯センサが複数設けられている場合に有効で、第１の制御機能の同様に居住者が外出時等に住戸親機４ａの操作部４３で防犯警戒設定操作を行った場合に機能する。
【００６３】
このような状態において、防犯センサ６ａが不審者の侵入を検知すると、センサ検知信号Ｓ１が住戸親機４ａの防犯センサ入力検出回路６０１を介してＣＰＵ４６に送信される。ＣＰＵ４６は、このセンサ検知信号Ｓ１に基づき表示部駆動回路４４１に防犯警報を知らせる映像信号を出力し、拡声アンプ４１１に防犯警報を知らせる防犯警報信号を出力するので、表示部４４に防犯警報が表示され拡声スピーカ４１より防犯警報音が出力され、同時に録画画像消去操作禁止モードに切り替わる。したがって、ＣＰＵ４６が、不審者の侵入を検知した防犯センサ６ａに関連付けられた監視カメラ７ａや集合玄関機１、カメラ付玄関子機５ａで撮像された不審者の録画画像が記憶されている録画画像記憶装置４９に対するアクセスを拒否するので、防犯警報状態の時に、録画画像記憶装置４９に記憶された不審者の録画画像が不審者による操作や居住者の不注意等により親機の操作部４３で消去されてしまうことを防ぐことができる。
【００６４】
なお、第４の制御機能、第５の制御機能、第６の制御機能が設定されている場合のＣＰＵ４６の制御動作は、実施例１と同様なので説明は省略する。
［実施例３］
次に、住戸親機４ａのＣＰＵ４６が第３の制御機能に設定されている場合について説明する。
【００６５】
防犯センサ６ａが不審者の侵入を検知すると、センサ検知信号Ｓ１が住戸親機４ａの防犯センサ入力検出回路６０１を介してＣＰＵ４６に送信される。ＣＰＵ４６は、このセンサ検知信号Ｓ１に基づき表示部駆動回路４４１に防犯警報を知らせる映像信号を出力し、拡声アンプ４１１に防犯警報を知らせる防犯警報信号を出力するので、表示部４４に防犯警報が表示され拡声スピーカ４１より防犯警報音が出力され、同時に録画画像消去操作禁止モードに切り替わる。また、ＣＰＵ４６は、このセンサ検知信号Ｓ１を管理室に設置された管理室親機２に送信するために、通信ＩＦ回路４８を介して住戸親機用ラインＬ１に伝送する。住戸親機用ラインＬ１に伝送されたセンサ検知信号Ｓ１が制御機３の第１の通信回路３１→主制御回路３４→第３の通信回路３３を介して管理室親機２で受信されると、管理室親機２において住戸親機４ａが設置された住戸で防犯警報になっていることが報知される。この際、管理室親機２の表示部２４には、防犯センサ６ａが設置されている住戸の情報として、例えば住戸親機４ａの住戸番号が表示される。
【００６６】
管理室内の管理人が住戸親機４ａからの防犯警報と共に住戸番号を確認後、管理室親機２の操作部２２で住戸親機４ａに対する録画画像閲覧操作を行うと、録画画像閲覧信号Ｓ４が制御機３の第３の通信回路３３→主制御回路３４→第１の通信回路３１を介して住戸親機用ラインＬ１に伝送される。この住戸親機用ラインＬ１に伝送された録画画像閲覧信号Ｓ４を住戸親機４ａの通信ＩＦ回路４８が受信すると、その録画画像閲覧信号Ｓ４をＣＰＵ４６に出力するので、ＣＰＵ４６はその録画画像閲覧信号Ｓ４に基づき録画画像記憶装置４９に記憶された録画画像を取り出して、センサ検知信号Ｓ１と同様の経路で管理室親機２に送信する。管理室親機２では、その録画画像が表示部２４に表示される。
【００６７】
その後、管理人が管理室親機２の操作部２２で住戸親機４ａの防犯警報を復旧させる防犯警報解除操作を行うと、防犯警報解除信号Ｓ５が制御機３の第３の通信回路３３→主制御回路３４→第１の通信回路３１を介して住戸親機用ラインＬ１に伝送される。この住戸親機用ラインＬ１に伝送された防犯警報解除信号Ｓ５を住戸親機４ａの通信ＩＦ回路４８が受信すると、その防犯警報解除信号Ｓ５をＣＰＵ４６に出力するので、ＣＰＵ４６はその防犯警報解除信号Ｓ５に基づき防犯警報を初期設定に戻して録画画像消去操作禁止モードを解除することができる。
【００６８】
なお、第４の制御機能、第５の制御機能、第６の制御機能が設定されている場合のＣＰＵ４６の制御動作は、実施例１と同様なので説明は省略する。
［実施例４］
次に、住戸親機４ａのＣＰＵ４６が第７の制御機能に設定されている場合について説明する。
【００６９】
住戸親機４ａが設置されている住戸の居住者が例えば不審者を発見して、当該住戸親機４ａの非常ボタン４５を押下すると、非常ボタン操作信号Ｓ２が住戸親機４ａの非常ボタン入力検出回路４５１を介してＣＰＵ４６に送信される。ＣＰＵ４６は、この非常ボタン操作信号Ｓ２に基づき表示部駆動回路４４１に非常警報を知らせる映像信号を出力し、拡声アンプ４１１に非常警報を知らせる非常警報信号を出力するので、表示部４４に非常警報が表示され拡声スピーカ４１より非常警報音が出力され、同時に録画画像消去操作禁止モードに切り替わる。したがって、ＣＰＵ４６が、集合玄関機１、カメラ付玄関子機５ａ、監視カメラ７ａで撮像された録画画像が記憶されている録画画像記憶装置４９に対するアクセスを拒否するので、非常警報状態の時に、録画画像記憶装置４９に記憶された録画画像が不審者や居住者の不注意等により親機の操作部４３で消去されてしまうことを防ぐことができる。
【００７０】
また、ＣＰＵ４６において第９の制御機能が設定されている場合には、消去禁止解除時間経過後に録画画像の消去禁止を解除することができる。また、ＣＰＵ４６において第１０の制御機能が設定されている場合には、住戸親機４ａの操作部４３でアクセス制御となる非常警報解除操作を行なうと、非常警報解除信号Ｓ３０が操作信号送出回路４３１を介してＣＰＵ４６に送信されるので、ＣＰＵ４６はこの非常警報解除信号Ｓ３０に基づき非常警報を初期設定に戻して録画画像消去操作禁止モードを解除することができる。また、ＣＰＵ４６において第１１の制御機能が設定されている場合には、非常ボタン４５が押下された時点（非常警報が出力された時点）で、ＣＰＵ４６が非常警報が出力する前までに録画画像記憶装置４９に記憶されていた録画画像を保存保護状態に切替えることができるので、防犯機能を高めることができる。
［実施例５］
次に、住戸親機４ａのＣＰＵ４６が第８の制御機能に設定されている場合について説明する。
【００７１】
住戸親機４ａが設置されている住戸の居住者が例えば不審者を発見して、当該住戸親機４ａの非常ボタン４５を押下すると、非常ボタン操作信号Ｓ２が住戸親機４ａの非常ボタン入力検出回路４５１を介してＣＰＵ４６に送信される。ＣＰＵ４６は、この非常ボタン操作信号Ｓ２に基づき表示部駆動回路４４１に非常警報を知らせる映像信号を出力し、拡声アンプ４１１に非常警報を知らせる非常警報信号を出力するので、表示部４４に非常警報が表示され拡声スピーカ４１より非常警報音が出力され、同時に録画画像消去操作禁止モードに切り替わる。また、ＣＰＵ４６は、この非常ボタン操作信号Ｓ２を管理室に設置された管理室親機２に送信するために、通信ＩＦ回路４８を介して住戸親機用ラインＬ１に伝送する。住戸親機用ラインＬ１に伝送された非常ボタン操作信号Ｓ２が制御機３の第１の通信回路３１→主制御回路３４→第３の通信回路３３を介して管理室親機２で受信されると、管理室親機２において住戸親機４ａが設置された住戸で非常警報になっていることが報知される。
【００７２】
管理室内の管理人が住戸親機４ａからの非常警報を確認後、管理室親機２の操作部２２で録画画像閲覧操作を行うと、録画画像閲覧信号Ｓ４が制御機３の第３の通信回路３３→主制御回路３４→第１の通信回路３１を介して住戸親機用ラインＬ１に伝送される。この住戸親機用ラインＬ１に伝送された録画画像閲覧信号Ｓ４を住戸親機４ａの通信ＩＦ回路４８が受信すると、その録画画像閲覧信号Ｓ４をＣＰＵ４６に出力するので、ＣＰＵ４６はその録画画像閲覧信号Ｓ４に基づき録画画像記憶装置４９に記憶された録画画像を取り出して、制御機３の第１の通信回路３１→主制御回路３４→第３の通信回路３３を介して管理室親機２に送信する。管理室親機２では、その録画画像が表示部２４に表示される。
【００７３】
その後、管理人が管理室親機２の操作部２２で住戸親機４ａの非常警報を復旧させる非常警報解除操作を行うと、非常警報解除信号Ｓ５０が制御機３の第３の通信回路３３→主制御回路３４→第１の通信回路３１を介して住戸親機用ラインＬ１に伝送される。この住戸親機用ラインＬ１に伝送された非常警報解除信号Ｓ５０を住戸親機４ａの通信ＩＦ回路４８が受信すると、その非常警報解除信号Ｓ５０をＣＰＵ４６に出力するので、ＣＰＵ４６はその非常警報解除信号Ｓ５０に基づき非常警報を初期設定に戻して録画画像消去操作禁止モードを解除することができる。
【００７４】
なお、第９の制御機能、第１０の制御機能、第１１の制御機能が設定されている場合のＣＰＵ４６の制御動作は、実施例４と同様なので説明は省略する。
【００７５】
また、上述した実施の形態例及び図１においては、複数の住戸親機が住戸親機用ラインに接続されていたが、これに限らず、１台だけが接続されていても上述したような作用、効果を得ることができる。また、上述した実施の形態例及び図１においては、監視カメラや防犯センサは各住戸親機に１台ずつ接続されていたが、これに限らず、それぞれ複数台ずつ接続されていても上述したような作用、効果を得ることができる。
【００７６】
また、上述した実施の形態例においては集合住宅に適用させたインターホンシステムで説明したが、これに限らず、戸建住宅に適用させたインターホンシステムでも同様の効果を得ることができる。
【図面の簡単な説明】
【００７７】
【図１】本発明のインターホンシステムにおける好ましい実施の形態例を示す全体説明図である。
【図２】本発明のインターホンシステムの構成要素である住戸親機の詳細を示すブロック図である。
【符号の説明】
【００７８】
１……集合玄関機
２……管理室親機
２１……拡声スピーカ
２２……操作部
２４……表示部
４ａ、４ｂ、・・・……住戸親機
４１……拡声スピーカ
４３……操作部
４４……表示部
４６……ＣＰＵ
４９……録画画像記憶装置
５ａ、５ｂ、・・・……カメラ付玄関子機
６ａ、６ｂ、・・・……防犯センサ
７ａ、７ｂ、・・・……監視カメラ
Ｓ１……センサ検知信号
【図１】
2006279416.tif 000003
【図２】
2006279416.tif 000004